(57)【要約】【課題】本発明はＬＥＤ素子の照射角度の調整といった煩雑な作業を要することなく、充分な照度を得ることができるＬＥＤ照明灯を提供することを目的とするものである。【解決手段】複数のＬＥＤ素子２が略同一平面上に配置されたＬＥＤ光源と、このＬＥＤ光源の主光出射方向を囲繞すると共に、その内面に反射面１９を有するシェード５とを備える。【選択図】図１
2011049154.tif 000002
【特許請求の範囲】
【請求項１】
複数のＬＥＤ素子が略同一平面上に配置されたＬＥＤ光源と、
該ＬＥＤ光源の主光出射方向を囲繞すると共に、その内面に反射面を有するシェードとを備える
ＬＥＤ照明灯。
【請求項２】
前記シェードは、前記ＬＥＤ光源の主光出射方向から前記ＬＥＤ光源側を見た場合に、同シェードの反射面に前記ＬＥＤ素子が写し出される傾斜角度とされた
請求項１に記載のＬＥＤ照明灯。
【請求項３】
複数のＬＥＤ素子が略同一平面上に略直線状に配置されてＬＥＤ素子列を構成し、複数のＬＥＤ素子列が略並行に略同一平面上に配置されたＬＥＤ光源と、
前記ＬＥＤ素子列同士の間隙に、前記ＬＥＤ光源の主光出射方向に突出して形成されると共に、その表面に反射面を有する反射板を備える
ＬＥＤ照明灯。
【請求項４】
前記ＬＥＤ素子列を構成するＬＥＤ素子同士の間隙に、その表面に反射面を有する反射板を備える
請求項３に記載のＬＥＤ照明灯。
【請求項５】
前記反射面が、９０％以上の反射率を有する
請求項１、請求項２、請求項３または請求項４に記載のＬＥＤ照明灯。
【請求項６】
前記反射面が、アルミニウム材料から構成された
請求項１、請求項２、請求項３、請求項４または請求項５に記載のＬＥＤ照明灯。
【発明の詳細な説明】
【技術分野】
【０００１】
本発明は、ＬＥＤ照明灯に関する。詳しくは光源として複数個のＬＥＤ素子を使用したＬＥＤ照明灯に係るものである。
【背景技術】
【０００２】
一般にＬＥＤ素子は、消費電力が少なく寿命も長いことから、蛍光灯に代わって照明灯として使用することのメリットが大きいと云えるが、照明灯としての明るさを得るために複数個のＬＥＤ素子を設ける必要があり、そのために複数個のＬＥＤ素子が同一平面上に実装されて構成されたＬＥＤ照明灯が採用されている。
【０００３】
ここで、個々のＬＥＤ素子は砲弾型の形状に樹脂でモールドされており、光は前方に集中するようになっている。このＬＥＤ素子による光の出射角度は約１５〜３０度前後であり、蛍光灯に比して照射範囲が狭くなることから個々のＬＥＤ素子の照射角度を調整してＬＥＤ素子全体としての照射範囲を広く調整する工夫がされている。
【０００４】
しかし同一平面上に取り付けられるＬＥＤ素子の照射角度を調整するには非常に煩雑な作業を要することとなる。
【０００５】
なお、照射範囲を広くするように工夫したＬＥＤ照明灯として、例えば特許文献１に記載されたものが知られている。具体的には図１２に示すように、ＬＥＤ素子１０１を実装した配線基板１０２が前面に装着される取付板１０３と、この取付板１０３を並列状に複数枚配置し得るハウジング１０４とからなる。また、取付板１０３の両側縁にジョイント部１０５が一体に形成され、複数枚の取付板１０３の隣り合うもの同士をジョイント部１０５によって屈折可能に連結できる構成とされている。
【先行技術文献】
【特許文献】
【０００６】
【特許文献１】特開２００７−１６５０５１号公報
【発明の概要】
【発明が解決しようとする課題】
【０００７】
ところで、特許文献１に記載されたＬＥＤ照明灯は、ＬＥＤ素子１０１が取り付けられる配線基板１０２を屈曲状にハウジング１０４内にて取り付けることで照射角度を調整できる機構としたものである。しかしながら、ＬＥＤ素子１０１の照射角度を調整することにより照射範囲を広くとることができる反面、それぞれのＬＥＤ素子１０１からの出射光のみによって一定範囲を照射するために照度が低下するなどの問題がある。
【０００８】
本発明は、以上に点に鑑みて創案されたものであって、ＬＥＤ素子の照射角度の調整といった煩雑な作業を要することなく、充分な照度を確保可能なＬＥＤ照明灯を提供することを目的とするものである。
【課題を解決するための手段】
【０００９】
上記の目的を達成するために、本発明に係るＬＥＤ照明灯は、複数のＬＥＤ素子が略同一平面上に配置されたＬＥＤ光源と、該ＬＥＤ光源の主光出射方向を囲繞すると共に、その内面に反射面を有するシェードとを備える。
【００１０】
ここで、複数のＬＥＤ素子が略同一平面上に配置されたＬＥＤ光源からの出射光をその内面が反射面とされたシェード（例えば、高反射率のアルミニウム板より形成され、その内面が反射面とされた傘状のシェード）により囲繞することによって、所定角度以上に照射される光をシェードの反射面に反射させることができ、ＬＥＤ照明灯下の一定の範囲内において照度が落ちることなく一定の高照度を得ることが可能となる。
【００１１】
また、ＬＥＤ素子が略同一平面上に配置されたことによって、天井内に設置する場合には、特許文献１に記載されたＬＥＤ照明灯の様に照明灯自体が天井面より突出した状態となることがなく、コンパクトに設置することが可能となる。
【００１２】
更に、ＬＥＤ光源の主光出射方向を囲繞するようにシェードを設けることのみで一定の高照度を得ることができ、ＬＥＤ素子の照射角度の調整が不要となることによって、複雑な作業を行う必要がなくなる。
【００１３】
また、シェードは、ＬＥＤ光源の主光出射方向からＬＥＤ光源側を見た場合に、シェードの反射面にＬＥＤ素子が写し出される傾斜角度とされることによって、ＬＥＤ素子から主光出射とシェードの反射面にＬＥＤ素子が写し出されることによる反射光との相乗効果によって大幅な光量を得ることが可能となる。
【００１４】
また、上記の目的を達成するために、本発明に係るＬＥＤ照明灯は、複数のＬＥＤ素子が略同一平面上に略直線状に配置されてＬＥＤ素子列を構成し、複数のＬＥＤ素子列が略並行に略同一平面上に配置されたＬＥＤ光源と、前記ＬＥＤ素子列同士の間隙に、前記ＬＥＤ光源の主光出射方向に突出して形成されると共に、その表面に反射面を有する反射板を備える。
【００１５】
ここで、ＬＥＤ素子列同士の間隙に、ＬＥＤ光源の主光出射方向に突出して形成されると共に、その表面に反射面を有する反射板（例えば、断面台形状に折り曲げ形成される反射板）によって、ＬＥＤ素子による発光を反射面に反射させてＬＥＤ照明灯下の一定の範囲内において照度が落ちることなく一定の高照度を得ることが可能となる。
【００１６】
また、ＬＥＤ素子が略同一平面上に配置されてＬＥＤ素子列を構成し、更に、複数のＬＥＤ素子列が略同一平面上に配置されてＬＥＤ光源を構成しており、即ち、ＬＥＤ光源を構成するＬＥＤ素子は略同一平面上に配置されることによって、天井内に設置する場合には、特許文献１に記載されたＬＥＤ照明灯の様に照明灯自体が天井面より突出した状態となることがなく、コンパクトに設置することが可能となる。
【００１７】
更に、ＬＥＤ素子列同士の間隙に、ＬＥＤ光源の主光出射方向に突出して形成されると共に、その表面に反射面を有する反射板を設けるのみで一定の高照度を得ることができ、ＬＥＤ素子の照射角度の調整が不要となることによって、煩雑な作業を行う必要がなくなる。
【００１８】
また、請求項３におけるＬＥＤ素子列を構成するＬＥＤ素子同士の間隙に、その表面に反射面を有する反射板を備えることによって、略同一平面上に配置された複数のＬＥＤ素子間の全てが反射面によって形成されることになり、より一層効率の良い反射が可能となる。
【００１９】
また、反射面が、９０％以上の反射率を有することにより、極めて効率の良い反射が実現することとなり、例えば、従来型反射板比１５０％〜２４０％の明るさが得られることとなる。
【００２０】
また、反射面が、アルミニウム材料から構成されることにより、例えば反射面が９０％以上の高反射率を有すると共に、軽量、かつ耐久性の優れたシェードを得ることが可能となる。
【発明の効果】
【００２１】
本発明のＬＥＤ照明灯では、ＬＥＤ素子の照射角度の調整といった煩雑な作業を要することなく、充分な照度を得ることができる。
【図面の簡単な説明】
【００２２】
【図１】本発明を適用したＬＥＤ照明灯の一例を説明するための断面模式図である。
【図２】本発明を適用したＬＥＤ照明灯の一例を説明するための平面模式図である。
【図３】本発明を適用したＬＥＤ照明灯のシェードの一例を説明するための立体模式図である。
【図４】図１〜図３における本発明を適用したＬＥＤ照明灯の他の例を示す断面模式図である。
【図５】本発明を適用したＬＥＤ照明灯の他の例を説明するための分解模式図である。
【図６】本発明を適用したＬＥＤ照明灯の他の例を説明するための断面模式図である。
【図７】本発明を適用したＬＥＤ照明灯の他の例を説明するための平面模式図である。
【図８】本発明を適用したＬＥＤ照明灯における投光器の一例を説明するための断面模式図である。
【図９】本発明を適用したＬＥＤ照明灯における投光器の一例を説明するための平面模式図である。
【図１０】本発明を適用したＬＥＤ照明灯における投光器の一例を説明するための立体模式図である。
【図１１】本発明を適用したＬＥＤ照明灯における投光器のシェードの反射面に写し出されたＬＥＤ素子の状態を説明するための模式図である。
【図１２】本発明を適用したＬＥＤ照明灯における投光器の取り付け状態を説明するための模式図である。
【図１３】本発明を適用したＬＥＤ照明灯における投光器の光の出射状態を説明するための模式図である。
【図１４】従来のＬＥＤ照明灯の一例を説明するための模式図である。
【発明を実施するための形態】
【００２３】
以下、本発明の実施の形態を図面を参酌しながら説明し、本発明の理解に供する。
【００２４】
＜実施例１＞
図１は本発明を適用したＬＥＤ照明灯において天井面に設置される一例を説明するための断面模式図、図２は本発明を適用したＬＥＤ照明灯において天井面に設置される一例を説明するための平面模式図、図３は本発明を適用したＬＥＤ照明灯のシェードの一例を説明するための立体模式図である。
【００２５】
ここで示すＬＥＤ照明灯１は、複数のＬＥＤ素子２が略同一平面上に実装された配線基板３が設けられたハウジング４と、このハウジング４に取り付けられたシェード５とを備えた構成とされている。
【００２６】
ここで、ハウジング４は、熱伝導率が高く、かつ、軽量であるアルミダイカストより形成され、その前面が開口状とされる円筒形状のＬＥＤ収納部６と、このＬＥＤ収納部６に一体的に連設された放熱板部７から構成されている。なお、ＬＥＤ素子２が収納されたＬＥＤ収納部６はＬＥＤ光源の一例である。
【００２７】
また、ＬＥＤ収納部６内には、配線基板３が取り付けられ、この配線基板３にＬＥＤ素子２が略同一平面上に放射状に配列される。更に、それぞれのＬＥＤ素子２を囲むように格子状の隔壁部２０が設けられると共に、ＬＥＤ収納部６の開口端には透光性のアクリル板から形成されるカバー部８が装着された構成のＬＥＤモジュール９が嵌め入れられている。
【００２８】
また、ハウジング４の放熱板部７には、接続用ソケット部１０が設けられ、この接続用ソケット部１０にはＬＥＤ素子２に安定した電圧及び電流を供給するためのＬＥＤユニット１１からの接続端子が接続された構成とされている。
【００２９】
次に、シェード５は、全光反射率が概ね９５％であるアルミニウム板より形成され、その内面に真空蒸着方式によりチタン、シリコンなどがコーティングされた反射面１９が形成されている。
【００３０】
ここで、ＬＥＤ光源としてＬＥＤ収納部６内に嵌め入れられてＬＥＤモジュール９からの主光出射方向を囲繞するために、円錐形状のシェード５の上端開口縁に、ハウジング４の開口縁を連結させるための連結用金具１３が取り付けられている。この連結用金具１３は、ハウジング４の開口縁に穿孔されるねじ穴１４と締結ネジ１５によって連結可能とされている。
【００３１】
また、シェード５の下端開口縁には外方向に水平状に張り出された鍔部１６が周設され、その鍔部１６の裏面には天井取付用ネジ１７が立設固着されている。したがって、天井（図示せず。）にシェード５の下端開口径とした穴（図示せず。）を設け、この穴内より天井内にシェード５の上端開口縁側を挿入して天井取付用ネジ１７によって天井に取り付けることにより天井内からの照明が可能となる。
【００３２】
なお、シェード５は、その高さより下端開口幅を大きくすることによって比較的に低い高さ位置からの照明の場合に照射範囲が制限されるために有効とされている。
また、シェード５の高さより下端開口幅を小さくすることによって倉庫や工場など高い天井からの照明の場合に下方に向けて照射範囲を大きくとれるために有効とされている。
【００３３】
また、本実施例でのシェード５は、円錐形状を詳述するものであるが、必ずしも円錐形状である必要性はなく、四角面、あるいは五角面の多角錐形状の筒体であっても構わない。
【００３４】
以上の構成よりなるＬＥＤ照明灯では、複数のＬＥＤ素子が略同一平面上に配置されることにより照射範囲を広く調整されたＬＥＤ光源から照射される光のうち所定角度以上に拡散される光はシェード５内面の反射面１９に反射して下方の所定範囲内に照射されることにより照度が落ちることなく一定の高照度を得ることが可能となる。
【００３５】
また、シェード５によって照射範囲が決定されることにより、配線基板を下方へ突出するような構造とする必要性はなく、ＬＥＤ素子２を略同一平面上に配置した構成であったとしても、充分な高照度を実現することができる。
【００３６】
＜実施例２＞
図４は、図１〜図３において詳述したＬＥＤ照明灯の他の例を説明するための模式図である。
【００３７】
ここで示すＬＥＤ照明灯１は、複数のＬＥＤ素子２が略同一平面上に実装された配線基板３が設けられたハウジング４が環状の天井埋め込み用基板２２の上部に取り付けられている。また、この天井埋め込み用基板２２の下部に支持枠２３によって吊設された傘部２４を備えた構成とされている。
【００３８】
ここで、ハウジング４は、熱伝導率が高く、かつ、軽量であるアルミダイカストより形成され、その前面が開口状とされる円筒形状のＬＥＤ収納部６と、このＬＥＤ収納部６に一体的に連設された放熱板部７とから構成されている。なお、ＬＥＤ素子２が収納されたＬＥＤ収納部６はＬＥＤ光源の一例である。
【００３９】
また、前記図２において詳述したように、ＬＥＤ収納部６内には、配線基板３が取り付けられ、この配線基板３にＬＥＤ素子２が略同一平面上に放射状に配列される。更に、それぞれのＬＥＤ素子２を囲むように格子状の隔壁部２０が設けられると共に、ＬＥＤ収納部６の開口端には透光性のアクリル板から形成されるカバー部８が装着された構成のＬＥＤモジュール９が嵌め入れられている。
【００４０】
また、ハウジング４の放熱板部７には、接続用ソケット部１０が設けられ、この接続用ソケット部１０にＬＥＤ素子２に安定した電圧及び電流を供給するためのＬＥＤユニット１１からの接続端子が接続された構成とされている。
【００４１】
次に、傘部２４内には、ＬＥＤ光源としてＬＥＤ収納部６内に嵌め入れられてＬＥＤモジュール９からの主光出射方向を囲繞するため、その上端開口縁がハウジング４の開口縁に接続されている。また、その下端開口縁が傘部２４の開口縁に係留される円錐形状のシェード５が取り付けられている。
【００４２】
このシェード５は、全光反射率が概ね９５％であるアルミニウム板より形成され、その内面に真空蒸着方式によりチタン、シリコンなどがコーティングされた反射面１９が形成されている。
【００４３】
以上の構成よりなるＬＥＤ照明灯では、複数のＬＥＤ素子が略同一平面上に配置される。
これにより照射範囲を広く調整されたＬＥＤ光源から照射される光のうち所定角度以上に拡散される光はシェード５内面の反射面１９に反射して下方の所定範囲内に照射されることにより照度が落ちることなく一定の高照度を得ることが可能となる。
【００４４】
ここで、天井高さが３．５ｍの店舗において、天井埋め込み式で光源が１５０Ｗの水銀灯を使用した従来型の照明器具と、２６Ｗの白色ＬＥＤを使用した本発明のＬＥＤ照明灯の他の例（図４に示す照明灯）による床面での照度測定を行った。なお、ここでの照度測定は周囲の照明灯が同条件で点灯した状態で行った。
【００４５】
この結果、従来の水銀灯の場合には４８２ＬＵＸ、本発明のＬＥＤ照明灯の場合には７２４ＬＵＸの照度であった。これにより、消費電力が１５０Ｗの水銀灯に対して約１７％の消費電力である２６Ｗの本発明のＬＥＤ照明灯の他の例の場合の方が照度が高く、約８５％という大幅な消費電力の削減が可能となる。
【００４６】
また、前記同様に天井高さが３．５ｍの店舗において、天井埋め込み式の照明器具で光源が１５０ＷのＨＩＤナトリウムランプを使用した従来型の照明器具と、２６Ｗの白色ＬＥＤを使用した本発明のＬＥＤ照明灯の他の例（図４に示す照明灯）による床面での照度測定とランプ直下での温度測定を行った。なお、ここでの照度測定及び温度測定は周囲の照明灯が消灯した状態で行った。
【００４７】
この結果、従来の１５０ＷのＨＩＤナトリウムランプの場合には３３７ＬＵＸ、本発明のＬＥＤ照明灯の場合には５２６ＬＵＸの照度であった。また、従来の１５０ＷのＨＩＤナトリウムランプの直下の温度が８３．７℃で本発明のＬＥＤ照明灯の直下の温度が２８．１℃であった。
【００４８】
これにより、消費電力１５０Ｗの水銀灯に対して約１７％の消費電力である２６Ｗの本発明のＬＥＤ照明灯の他の例の方が照度が高いことが判明した。また、従来のＨＩＤナトリウムランプの直下の温度が８３．７℃に対して本発明のＬＥＤ照明灯の他の例の直下の温度が２８．１℃であることから、室内の温度上昇を抑制すると共に大幅な消費電力の削減が可能となる。
【００４９】
＜実施例３＞
図５は本発明を適用したＬＥＤ照明灯において天井面に設置されるシェードを有さない一例を説明するための分解模式図、図６は本発明を適用したＬＥＤ照明灯において天井面に設置されるシェードを有さない一例を説明するための断面説明図、図７は本発明を適用したＬＥＤ照明灯において天井面に設置されるシェードを有さない一例を説明するための平面説明図である。
【００５０】
ここで示すＬＥＤ照明灯１は、天井等に取り付けボルト・ナット１８によって取り付けられる薄型四方形状のハウジング４のＬＥＤ収納部６の開口端に、平板状の配線基板３に複数のＬＥＤ素子２が略同一平面上に略直線状にＬＥＤ素子２列が配置された構成とされている。
【００５１】
この複数のＬＥＤ素子２列が略並行に略同一平面上に配置されると共に、透光性のアクリル板から形成されるカバー部８が装着された構成のＬＥＤモジュール９Ａが嵌め入れられている。
なお、ＬＥＤ素子２が収納されたＬＥＤ収納部６はＬＥＤ光源の一例である。
【００５２】
このＬＥＤモジュール９Ａは、配線基板３上のＬＥＤ素子２列同士の間隙及び同一列に属するＬＥＤ素子２同士の間隙に、全光反射率が概ね９５％であるアルミニウム板により形成される。また、その表面に真空蒸着方式によりチタン、シリコンなどがコーティングされた反射面１９を有する反射板２１が形成されている。
【００５３】
ここで、ＬＥＤ素子列同士の間隙に形成された反射板２１は、各ＬＥＤ素子２からの主光出射方向に突出して断面台形状に折り曲げ形成されている。なお、断面台形状に構成され、その両側傾斜面に反射面１９が形成されることにより各ＬＥＤ素子２より出射される光は、反射面１９に反射して一定の範囲内での照射が可能とされる。
【００５４】
この反射面１９の反射角度はＬＥＤ照明灯の取り付け高さ、あるいはＬＥＤ素子の輝度や数に応じて決定するものであり、できるだけ天井面方向に光が拡散しないような反射角度とすることが望ましいものである。
【００５５】
なお、本実施例ではＬＥＤ素子２を一定間隔ごとに縦横配置した形態を示すものであるが、必ずしも一定間隔ごとには配列する必要性は無く、例えば不規則なランダム状に配列されるものであっても構わない。
【００５６】
以上の構成よりなるＬＥＤ照明灯では、略同一平面上に略直線上に配列されるＬＥＤ素子２列同士及び同一列に属するＬＥＤ素子２間の間隙に設けられる反射板２１によってＬＥＤ素子２から照射される光は、ハウジング４内において反射板２１の外表面に形成される反射面１９に反射して下方の所定範囲内に照射されることにより照度が落ちることなく一定の高照度を得ることが可能となる。
【００５７】
また、略同一平面上に略直線上に配列されるＬＥＤ素子２列同士間の間隙に反射板２１を設けることにより一定の照射範囲を決定することができる。このために、配線基板を下方へ突出するような構造とする必要性がなく、天井面に平面的な薄型のＬＥＤ照明灯の取り付けが可能となる。
【００５８】
＜実施例４＞
図８は本発明を適用したＬＥＤ照明灯における投光器の一例を説明するための断面模式図、図９は本発明を適用したＬＥＤ照明灯における投光器の一例を説明するための平面模式図、図１０は本発明を適用したＬＥＤ照明灯における投光器の一例を説明するための立体模式図を示す。
【００５９】
ここで示すＬＥＤ照明灯１は、複数のＬＥＤ素子２が略同一平面上に実装された配線基板３が設けられたハウジング４と、このハウジング４に取り付けられたシェード５とを備えた構成とされている。
【００６０】
ここで、ハウジング４は、熱伝導率が高く、かつ、軽量であるアルミダイカストより形成され、その前面が開口状とされる円筒形状のＬＥＤ収納部６と、このＬＥＤ収納部６に一体的に連設された放熱板部７から構成されている。なお、ＬＥＤ素子が収納されたＬＥＤ収納部６はＬＥＤ光源の一例である。
【００６１】
また、ＬＥＤ収納部６内には、配線基板３が取り付けられ、この配線基板３にＬＥＤ素子２が略同一平面上に放射状に配列される。更に、それぞれのＬＥＤ素子２を囲むように格子状の隔壁部２０が設けられると共に、ＬＥＤ収納部６の開口端には透光性のアクリル板から形成されるカバー部８が装着された構成のＬＥＤモジュール９が嵌め入れられている。
【００６２】
また、ハウジング４の放熱板部７後部には、ＬＥＤ素子２に安定した電圧及び電流を供給するためのＬＥＤユニット１１が設けられる。このＬＥＤユニット１１に電気コード３４が接続され、その先端に設けられたプラグ３２をコンセント（図示せず。）に差し込むことでインバーター（図示せず。）によって１００Ｖ〜２４２Ｖの電源に対応してＬＥＤモジュール９のＬＥＤ素子２が点灯する構成とされている。
【００６３】
次に、シェード５は、全光反射率が概ね９５％であるアルミニウム板より形成され、その内面に真空蒸着方式によりチタン、シリコンなどがコーティングされた反射面１９が形成されている。
【００６４】
ここで、ＬＥＤ光源としてＬＥＤ収納部６内に嵌め入れられてＬＥＤモジュール９からの主光出射方向を囲繞するために、円錐形状のシェード５の上端開口縁に、ハウジング４の開口縁が締結ネジ１５によって連結されている。
【００６５】
また、ハウジング４の開口縁には投光器としてのＬＥＤ照明灯１をスタンド部（図示せず。）に連結するためのスタンド連結部２５が設けられている。
【００６６】
このスタンド連結部２５は、ハウジング４に対して略直角状に折曲形成され、更に雌ネジ部２７が穿孔され、これに締結用ネジ部２６が螺着されている。この締結用ネジ部２６は手によって回転自在なように硬質プラスチックより形成されるダイヤル２７が設けられている。
【００６７】
また、シェード５の反射面１９は、ＬＥＤ収納部６の内周縁に沿って配列されるＬＥＤモジュール９のＬＥＤ素子２が写し出されるような角度を持って形成されている。
【００６８】
これにより、図１１の図中想像線に示すように、シェード５の開口側より平面状に見た場合に、ＬＥＤ収納部６に設けられるＬＥＤ素子２がシェード５の反射面１９に複数段に写し出されることとなる。
【００６９】
以上の構成よりなるＬＥＤ照明灯では図１２に示すように、天井面Ａ等に取付けられたスタンド３０に穿孔された挿通穴３１に締結用ネジ部２６を挿通してスタンド連結部２５の雌ネジ部３３に螺着する。
【００７０】
更に、ダイヤル２７を回してＬＥＤ照明灯１が所定の角度で固定できるようにダイヤル２７とスタンド連結部２５との間にスタンド３０を挟持した状態で締結する。
【００７１】
このようにしてスタンド３０に取り付けられたＬＥＤ照明灯１では、前記図１１において詳述したように、ＬＥＤ収納部６に設けられるＬＥＤ素子２がシェード５の反射面１９に複数段に写し出される。
【００７２】
ここで、図１３に示すように、複数のＬＥＤ素子が略同一平面上に配置されることによってＬＥＤ素子２からの照射される光は下方の所定範囲内に照射されることにより照度が落ちることなく一定の高照度を得ることが可能となる。
【００７３】
また、シェード５内面の反射面１９に写し出される複数のＬＥＤ素子から照射される光はＬＥＤモジュール９のＬＥＤ素子２からの照射される光と同様にシェード５から出光されるために光量が増加して高輝度を得ることが可能となる。
【００７４】
また、シェード５によって照射範囲が決定されることにより、配線基板を下方へ突出するような構造とする必要性はなく、ＬＥＤ素子２を略同一平面上に配置した構成であったとしても、充分な高照度を実現することができる。
【符号の説明】
【００７５】
１        ＬＥＤ照明灯
２        ＬＥＤ素子
３        配線基板
４        ハウジング
５        シェード
６        ＬＥＤ収納部
７        放熱板部
８        カバー部
９、９Ａ  ＬＥＤモジュール
１０      接続用ソケット部
１１      ＬＥＤユニット
１３      連結用金具
１４      ねじ穴
１５      締結ネジ
１６      鍔部
１７      天井取付用ネジ
１８      取り付けボルト・ナット
１９      反射面
２０      隔壁部
２１      反射板
２２      天井埋め込み用基板
２３      支持枠
２４      傘部
２５      スタンド連結部
２６      締結用ネジ部
２７      ダイヤル
３０      スタンド
３１      挿通穴
３２      プラグ
３３      雌ネジ部
３４      電気コード
【図１】
2011049154.tif 000003
【図２】
2011049154.tif 000004
【図３】
2011049154.tif 000005
【図４】
2011049154.tif 000006
【図５】
2011049154.tif 000007
【図６】
2011049154.tif 000008
【図７】
2011049154.tif 000009
【図８】
2011049154.tif 000010
【図９】
2011049154.tif 000011
【図１０】
2011049154.tif 000012
【図１１】
2011049154.tif 000013
【図１２】
2011049154.tif 000014
【図１３】
2011049154.tif 000015
【図１４】
2011049154.tif 000016